(57)【要約】【課題】遠隔監視装置と管制センターとの間の通信状態に異常が発生した場合にのみ、即時に通信状態の劣化を知ることができる遠隔監視システムの提供。【解決手段】無線通信装置は、各無線基地局５ａ、５ｂ、５ｃのＩＤ、前記無線基地局の数、及び前記各無線基地局の電界強度の通信状態情報を格納する記憶手段を有し、遠隔監視装置２は、前記記憶手段に格納された前記通信状態情報を読出して格納する通信情報格納手段２ｄと、通信状態情報を通信情報格納手段２ｄに格納する際、前記通信状態情報と、直近の日時に通信情報格納手段２ｄに格納された前記通信状態情報とを比較し、前記無線基地局数の増減、あるいは電界強度が所定値以上であったものが所定値を下回る変化、または所定値以下であったものが所定値を上回る変化のいずれかを検出したとき、管制センター７に通知する通信品質監視手段２ｃを有している。【選択図】図１
2016187126.tif 000002
【特許請求の範囲】
【請求項１】
昇降機を監視する遠隔監視装置と、この遠隔監視装置に接続した無線通信装置と、無線通信回線及び複数の無線基地局を介して通信を行う管制センターとを備えた遠隔監視システムにおいて、
前記無線通信装置は、
前記各無線基地局のＩＤ、前記無線基地局の数、及び前記各無線基地局の電界強度の通信状態情報を格納する記憶手段を有し、
前記遠隔監視装置は、
前記記憶手段に格納された前記通信状態情報を読出して格納する通信情報格納手段と、
前記通信状態情報を前記通信情報格納手段に格納する際、前記通信状態情報と、直近の日時に前記通信情報格納手段に格納された前記通信状態情報とを比較し、前記無線基地局数の増減、あるいは前記電界強度が所定値以上であったものが所定値を下回る変化、または所定値以下であったものが所定値を上回る変化のいずれかを検出したとき、前記管制センターに通知する通信品質監視手段とを有することを特徴とする遠隔監視システム。
【請求項２】
請求項１に記載の遠隔監視システムにおいて、
前記管制センターは、
前記通信品質監視手段の前記相互比較判断から受信した前記通信状態情報を格納するデータ受信装置と、
このデータ受信装置に格納された前記通信状態情報を読出し、所定の基準と比較し、前記電界強度が所定値以上である前記無線基地局の数が所定数以上か判定する異常現場判定装置とを有することを特徴とする遠隔監視システム。
【発明の詳細な説明】
【技術分野】
【０００１】
本発明は昇降機を遠隔監視する遠隔監視システムに関する。
【背景技術】
【０００２】
昇降機の状態を監視する昇降機遠隔監視システムは、昇降機に設置された監視装置と、監視を行なう管制センター装置を電話回線網で接続して行っている。この電話回線は、有線のアナログ公衆回線網や、無線であるＰＨＳ網などが使用され、近年はＩＰ
（Ｉｎｔｅｒｎｅｔ  Ｐｒｏｔｏｃｏｌ）網を通信網に使用する場合もある。
【０００３】
昇降機に異常が発生した場合には、その旨が監視装置から通信回線を介して管制センターへ連絡され、管制センターは異常を是正する適切な対応を営業所に指示し、該当する営業所は昇降機の復旧作業を行う作業者を派遣し、異常に対応する。
【０００４】
このような設備または機器の遠隔監視システムの従来技術の１つとして、特許文献１に、設備または機器のデータをＰＨＳ等の携帯形通信器により収集し、無線通信回線及び複数の基地局を介して通信し、遠隔地に設置された管制センターへ通知する設備・機器の遠隔監視装置が開示されている。
【０００５】
安定した通信状態を確保するためには、遠隔監視装置における携帯形通信器の設置において、携帯形通信器と基地局との通信状態を確認し、設置可否の判断をする必要がある。そこで、従来技術の遠隔監視装置では、携帯形通信器に基地局からの電界強度及びフレームエラー数が所定条件を満たしているかを表示する判定表示灯を設け、判定表示灯の表示に応じて携帯形通信器の設置可否を判断するようにしている。
【０００６】
しかしながら、前述した特許文献１に開示された従来技術では、携帯形通信器の設置が可能と判断され、適切に設置した場合であっても、その後の周辺環境の変化、例えば携帯形通信器の基地局の減少、携帯形通信器と基地局との電波の送受信を遮る高階床の建築物の竣工、または電波の一時的な減衰や電波の反射による影響により電波状況の悪化が発生し、監視装置と管制センターとの間で通信が正常に実施できなくなる虞があった。
【０００７】
このように携帯形通信器を適切に設置した後でも通信網の品質が劣化する虞があることから、特許文献２に開示された技術がある。この技術は、監視センターと無線通信回線及び複数の基地局を介して通信を行う無線通信装置を備えた遠隔監視システムにおいて、無線通信装置に通信状態を複数の項目にわたって測定、格納する記憶部を設け、監視センターは無線通信装置の記憶部より定期的に通信状態情報を読み出して格納し、この格納した測定結果に基づいて通信状態が劣化しているかどうかを判定している。
【先行技術文献】
【特許文献】
【０００８】
【特許文献１】特開２００３−２７４０３６号公報
【特許文献２】特開２０１４−３６２７１号公報
【発明の概要】
【発明が解決しようとする課題】
【０００９】
前述した特許文献２に開示された従来のビル設備遠隔監視システムでは、通信状態情報を定期的に読み出して格納し、その通信状態情報に基づいて遠隔監視装置と管制センターとの間の通信状態が劣化しているかどうかを判定するとしており、所定時間が経過しないと通信状態が劣化しているか判定することができないため、長期間通信ができない状態が続き、昇降機に異常が発生した旨が管制センターに通知できないことが懸念される。
【００１０】
しかし、通信状態の劣化を早期に発見するためには、通信状態情報を頻繁に読出す必要があり、遠隔監視装置と管制センターとの通信頻度が増加し、通信コストが増加する。さらに、遠隔監視装置と管制センターとの通信状態が劣化していない場合にも、定期的に通信状態情報を読出し、通信状態が劣化しているかを判定する必要があることから、無用な通信コストが発生することが懸念される。
【００１１】
本発明は、前述した従来技術における実状からなされたもので、その目的は、遠隔監視装置と管制センターとの間の通信状態に異常が発生した場合にのみ、即時に通信状態の劣化を知ることができる遠隔監視システムを提供することにある。
【課題を解決するための手段】
【００１２】
前記目的を達成するために、本発明に係る遠隔監視システムは、昇降機を監視する遠隔監視装置と、この遠隔監視装置に接続した無線通信装置と、無線通信回線及び複数の無線基地局を介して通信を行う管制センターとを備えた遠隔監視システムにおいて、前記無線通信装置は、前記各無線基地局のＩＤ、前記無線基地局の数、及び前記各無線基地局の電界強度の通信状態情報を格納する記憶手段を有し、前記遠隔監視装置は、前記記憶手段に格納された前記通信状態情報を読出して格納する通信情報格納手段と、前記通信状態情報を前記通信情報格納手段に格納する際、前記通信状態情報と、直近の日時に前記通信情報格納手段に格納された前記通信状態情報とを比較し、前記無線基地局数の増減、あるいは前記電界強度が所定値以上であったものが所定値を下回る変化、または所定値以下であったものが所定値を上回る変化のいずれかを検出したとき、前記管制センターに通知する通信品質監視手段とを有することを特徴としている。
【発明の効果】
【００１３】
本発明に係る遠隔監視システムによれば、遠隔監視装置と管制センターとの通信状態が劣化していることを通信コストを抑えながら即時に知ることができ、その通信状態の劣化に応じて迅速な対応を実施できるので、安定した通信環境の維持を実現することができる。
【図面の簡単な説明】
【００１４】
【図１】本発明に係る遠隔監視システムの一実施形態の構成を示す図である。
【図２】本実施形態の無線品質を監視する処理手順を示すフローチャートである。
【発明を実施するための形態】
【００１５】
以下、本発明に係る遠隔監視システムの実施の形態を図面に基づいて説明する。
【００１６】
本発明に係る遠隔監視システムの一実施形態は、図１に示すように、建物に設置された昇降機１と、この昇降機１を制御する昇降機制御盤１ａに接続され、昇降機１を監視する遠隔監視装置２と、この遠隔監視装置２から離れた場所に設置された管制センター７と、遠隔監視装置２に接続され、無線により電波を送受信する無線通信装置４と、管制センター７から連絡を受け、各種の作業に対応する作業者が待機する営業所８とを備えている。
【００１７】
本実施形態は、例えば昇降機１が設けられた建物と管制センター７から離れた場所に設置された３つの無線基地局５ａ、５ｂ、５ｃを備えており、無線通信装置４は、遠隔監視装置２と管制センター７との間で無線通信回線、及び３つの無線基地局５ａ、５ｂ、５ｃを介して通信をおこなっている。なお、管制センター７と無線基地局５ａ、５ｂ、５ｃとの間の通信は公衆回線網６を介して行われる。
【００１８】
そして、遠隔監視装置２は、昇降機１の監視を行っており、昇降機制御盤１ａから入手した監視情報から昇降機異常検出手段２ｂが昇降機１の異常を検出した場合には、通信手段２ａに接続された無線通信装置４から３つの無線基地局５ａ、５ｂ、５ｃのうちいずれか、及び公衆回線網６を経由して管制センター７に対し、昇降機１に異常が発生した旨を通知するようにしている。
【００１９】
また、無線通信装置４は各無線基地局５ａ、５ｂ、５ｃのＩＤ、無線通信装置４が捕捉する無線基地局５ａ、５ｂ、５ｃの数、及び各無線基地局５ａ、５ｂ、５ｃの電界強度の情報（以下、通信状態情報）を格納する記憶部（図示せず）を有している。
【００２０】
他方で、通信情報格納手段２ｄは、予め定められた周期に従って通信手段２ａに接続された無線通信装置４の記憶部に格納された通信状態情報を読出して収集するデータ収集部（図示せず）と、このデータ収集部によって収集された通信状態情報を格納して管理する情報データベース部（図示せず）とから成っている。
【００２１】
具体的には、通信情報格納手段２ｄのデータ収集部は、無線通信装置４の記憶部に格納されている通信状態情報を読出し、読出し日時を記録すると共に、読出した通信状態情報を情報データベース部に格納する。
【００２２】
さらに、通信品質監視手段２ｃは、通信情報格納手段２ｄに通信状態情報が格納される際、直近の日時の通信状態情報を読出して相互に比較し、無線通信装置４が捕捉する無線基地局５ａ、５ｂ、５ｃの数が変化した場合、及び各無線基地局５ａ、５ｂ、５ｃの電界強度が所定値以上であったものが所定値を下回る変化、または所定値以下であったものが所定値を上回る変化をしていた場合のいずれかの場合に、遠隔監視装置２と管制センター７との間の通信状態が変化していると判断し、無線通信装置４から３つの無線基地局５ａ、５ｂ、５ｃのうちのいずれか、及び公衆回線網６を経由して管制センター７に対し、通信状態情報、及び通信状態に変化が発生した旨を通信手段２ａから通知する機能を有している。
【００２３】
例えば、直近の日時の通信状態情報と比較して、無線通信装置４が捕捉する無線基地局５ａ、５ｂ、５ｃの数が減少した場合、及び電界強度が所定の値以下に減少した場合には、無線通信装置４と無線基地局５ａ、５ｂ、５ｃとの間に高階床の建物が設置された等の電波が遮られる状況が発生したと推測される。逆に、直前の日時の通信状態情報と比較して、無線通信装置４が捕捉する無線基地局５ａ、５ｂ、５ｃの数が増加した場合、及び電界強度が所定の値以上に増加した場合には、無線通信装置４と無線基地局５ａ、５ｂ、５ｃとの間の電波が遮られる状況が回復したと推測される。これらいずれかの場合に、通信品質監視手段２ｃは、管制センター７に対して、遠隔監視装置２と管制センター７との間の通信状態に変化が発生した旨を、通信状態情報を付して通知する。
【００２４】
一方、管制センター７は、例えば公衆回線網６に接続され、各無線基地局５ａ、５ｂ、５ｃから各種のデータを受信するデータ受信装置７ａを有している。このデータ受信装置７ａは、通信品質監視手段２ｃから通信手段２ａを経由して通知された通信状態情報を格納する記憶部（図示せず）を有している。
【００２５】
さらに、管制センター７は、データ受信装置７ａの記憶部に格納された通信状態情報を読出し、所定の基準と比較し、電界強度が所定値以上の無線基地局の数が所定の数未満の場合に、遠隔監視装置２と管制センター７との間の通信状態が劣化していると判定する異常現場判定装置７ｂを有している。
【００２６】
本実施形態は、上述した所定の基準として、例えば電界強度の設定値を４０、無線基地局の数の設定値を２とすると、異常現場判定装置７ｂは、データ受信装置７ａの記憶部から読出した通信状態情報を参照した結果、無線基地局５ａの電界強度が３９、無線基地局５ｂの電界強度が４５、無線基地局５ｃの電界強度が４１であった場合、無線基地局５ａの電界強度が４０未満であるが、無線基地局５ｂ、５ｃの電界強度が４０以上であることから、電界強度が４０以上ある無線基地局の数が２以上となり、遠隔監視装置２と管制センター７との間の通信状態は正常であると判定する。
【００２７】
また、異常現場判定装置７ｂは、データ受信装置７ａの記憶部から読出した通信状態情報を参照した結果、無線基地局５ａの電界強度が３９、無線基地局５ｂの電界強度が４５、無線基地局５ｃの電界強度が測定不能であった場合、電界強度が４０以上である無線基地局の数が２未満となるため、遠隔監視装置２と管制センター７との間の通信状態が劣化していると判定し、営業所８に対して無線通信装置４の設置位置を変更する旨の是正指示を行うようにしている。なお、当該所定の基準は、一般に通信状態に十分な尤度をもった値とされ、無線通信装置４はこの基準を満たすように設置されている。
【００２８】
次に、本実施形態に係る遠隔監視システムの無線品質を監視する処理手順について、図２のフローチャートを用いて説明する。本説明では、遠隔監視装置２の処理手順には処理番号にＳを付加し、管制センター７の処理手順には処理番号にＴを付加して記載する。
【００２９】
手順Ｓ１において、遠隔監視装置２の通信情報格納手段２ｄは、無線通信装置４の記憶部に格納された通信状態情報のデータを読出す周期であるか確認する。
【００３０】
このとき、通信情報格納手段２ｄは、通信状態情報を読出す周期でない場合（手順Ｓ１でＮＯ）には、通信状態情報のデータの読出し周期になるまで確認を繰り返す。
【００３１】
手順Ｓ１において、通信情報格納手段２ｄは、通信状態情報を読出す周期であることを確認した場合（手順Ｓ１でＹＥＳ）には、手順Ｓ２において、通信状態情報のデータの読出しを実施する。
【００３２】
次に、手順Ｓ３において、通信情報格納手段２ｄは、読出し日時と通信状態情報を情報データベース部に格納する。手順Ｓ４において、通信情報格納手段２ｄは、読出した通信状態情報のデータが1回目の通信状態情報のデータであるかどうか判断する。
【００３３】
このとき、通信情報格納手段２ｄは、読出した通信状態情報のデータが1回目の通信状態情報のデータであると判断した場合（手順Ｓ４でＹＥＳ）には、直近の日時に格納された通信状態情報のデータが通信情報格納手段２ｄにまだ格納されていないので、直近の日時の通信状態情報と相互に比較することができないため、再収集するため手順Ｓ１に戻る。
【００３４】
手順Ｓ４において、通信情報格納手段２ｄは、読出した通信状態情報のデータが1回目の通信状態情報のデータでないと判断した場合（手順Ｓ４でＮＯ）には、手順Ｓ５において、通信品質監視手段２ｃは、読出した通信状態情報のデータと直近の日時に格納された通信状態情報のデータとを相互に比較し、無線基地局５ａ、５ｂ、５ｃの数が変化しているかどうかを判断する。
【００３５】
このとき、通信品質監視手段２ｃは、無線基地局５ａ、５ｂ、５ｃの数が変化したと判断した場合（手順Ｓ５でＹＥＳ）には、手順Ｓ９において、管制センター7に対し、遠隔監視装置２と管制センター7との間の通信状態に変化が発生した旨を、読出した通信状態情報を付して通知し、手順Ｓ１に戻る。
【００３６】
手順Ｓ５において、通信品質監視手段２ｃは、無線基地局５ａ、５ｂ、５ｃの数が変化していないと判断した場合（手順Ｓ５でＮＯ）には、手順Ｓ６において、直近の日時に格納された通信状態情報のデータと所定値を比較し、各無線基地局５ａ、５ｂ、５ｃの電界強度が所定値以上であるか判断する。
【００３７】
このとき、通信品質監視手段２ｃは、直近の日時に格納された各無線基地局５ａ、５ｂ、５ｃの電界強度が所定値以上であると判断した場合（手順Ｓ６でＹＥＳ）には、手順Ｓ７において、読出した通信状態情報のデータと所定値を比較し、各無線基地局５ａ、５ｂ、５ｃの少なくとも一つの電界強度が所定値未満であるか判断する。
【００３８】
そして、通信品質監視手段２ｃは、読出した通信状態情報の各無線基地局５ａ、５ｂ、５ｃの少なくとも一つの電界強度が所定値未満であると判断した場合（手順Ｓ７でＹＥＳ）には、手順Ｓ９において、管制センター7に対し、遠隔監視装置２と管制センター7との間の通信状態に変化が発生した旨を、読出した通信状態情報を付して通知し、手順Ｓ１に戻る。
【００３９】
また手順Ｓ６において、直近の日時に格納された各無線基地局５ａ、５ｂ、５ｃの少なくとも一つの電界強度が所定値未満であると判断した場合（手順Ｓ６でＮＯ）には、手順Ｓ８において、読出した通信状態情報のデータと所定値を比較し、直近の日時に格納したデータが所定値未満であった無線基地局の電界強度が所定値以上であるか判断する。
【００４０】
このとき、通信品質監視手段２ｃは、直近の日時に格納したデータが所定値未満であった無線基地局の電界強度が所定値以上であると判断した場合（手順Ｓ８でＹＥＳ）には、手順Ｓ９において、管制センター7に対し、遠隔監視装置２と管制センター7との間の通信状態に変化が発生した旨を、読出した通信状態情報を付して通知し、手順Ｓ１に戻る。
【００４１】
その他、手順Ｓ７において、通信品質監視手段２ｃは、読出した通信状態情報の各無線基地局５ａ、５ｂ、５ｃの電界強度が所定値以上であると判断した場合（手順Ｓ７でＮＯ）には、手順Ｓ１に戻る。
【００４２】
さらに、手順Ｓ８において、通信品質監視手段２ｃは、直近の日時に格納したデータが所定値未満であった無線基地局の電界強度が引き続き所定値未満であると判断した場合（手順Ｓ８でＮＯ）には、手順Ｓ１に戻る。
【００４３】
一方、手順Ｔ１において、管制センター７のデータ受信装置７ａは、遠隔監視装置２から、無線通信装置４と無線基地局５ａ、５ｂ、５ｃとの間の通信状態に変化が発生したとの通知が届いているか確認する。
【００４４】
このとき、データ受信装置７ａは、通信状態に変化が発生したとの通知が届いていない場合（手順Ｔ１でＮＯ）には、通知が届くまで確認を繰り返す。
【００４５】
手順Ｔ１において、データ受信装置７ａは、通信状態に変化が発生したとの通知が届いた場合（手順Ｔ１でＹＥＳ）には、併せて受信した通信状態情報をデータ受信装置７ａの記憶部に格納する。
【００４６】
次に、手順Ｔ２において、管制センター７の異常現場判定装置７ｂは、データ受信装置７ａの記憶部に格納された通信状態情報を読出し、所定の基準と比較して電界強度が所定値以上の無線基地局の数が所定の数を満たしているかを確認し、遠隔監視装置２と管制センター７との間の通信状態が劣化しているかどうかを判断する。
【００４７】
このとき、異常現場判定装置７ｂは、電界強度が所定値以上の無線基地局の数が所定の数を満たしていない場合（手順Ｔ２でＮＯ）には、遠隔監視装置２と管制センター７との間の通信状態が劣化していると判断し、手順Ｔ３において、営業所８に対して無線通信装置の設置位置を変更する等の是正指示を行い、本実施形態に係る管制センターの処理動作を終了する。
【００４８】
手順Ｔ２において、異常現場判定装置７ｂは、電界強度が所定値以上の無線基地局の数が所定の数を満たしていることから遠隔監視装置２と管制センター７との間の通信状態が劣化していないと判断した場合（手順Ｔ２でＹＥＳ）には、本実施形態に係る管制センター７の処理動作を終了する。
【００４９】
このように、遠隔監視装置２の通信品質監視手段２ｃにより、無線通信装置４から読出した通信状態情報のデータと直近の日時に格納された通信状態情報のデータとを比較し、無線基地局５ａ、５ｂ、５ｃの数が変化した場合、及び各無線基地局５ａ、５ｂ、５ｃの電界強度が所定値以上の変化をした場合のいずれかの場合に、管制センター７に対し、遠隔監視装置２と管制センター７との間の通信状態に変化が発生した旨を、読出した通信状態情報を付して通知する。管制センター７は、通信状態に変化が発生したとの通知が届いた場合には、管制センター７の異常現場判定装置７ｂは、受信した通信状態情報を所定の基準と比較し、電界強度が所定値以上の無線基地局の数が所定の数を満たしているかを確認する。
【００５０】
これらの処理により本実施形態は、遠隔監視装置と管制センターとの通信状態が劣化していることを通信コストを抑えながら即時に知ることができ、その通信状態の劣化に応じて迅速な対応を実施できるので、安定した通信環境の維持を実現することができる。
【符号の説明】
【００５１】
１    昇降機
１ａ  昇降機制御盤
２    遠隔監視装置
２ａ  通信手段
２ｂ  昇降機異常検出手段
２ｃ  通信品質監視手段
２ｄ  通信情報格納手段
４    無線通信装置
５ａ，５ｂ，５ｃ  無線基地局
６    公衆回線網
７    管制センター
７ａ  データ受信装置
７ｂ  異常現場判定装置
８    営業所
【図１】
2016187126.tif 000003
【図２】
2016187126.tif 000004